(57)【特許請求の範囲】
【請求項１】
被写体を撮影した写真画像に対する編集入力を受け付ける画像編集装置であって、
前記写真画像における前記被写体の唇部分を特定し、前記唇部分を示すマスク情報を記憶する特定手段と、
予め定められた複数の色から、唇の色の選択を受け付ける選択受付手段と、
前記写真画像における前記被写体の前記マスク情報に基づく唇の部分に、選択された前記唇の色を付した編集写真画像を表示する表示手段と、
表示された前記編集写真画像における前記唇の部分に対して編集入力を受け付け、編集内容を記憶する唇編集受付手段と、
前記マスク情報と、選択された前記唇の色と、前記編集内容とに基づき、前記写真画像における前記被写体の少なくとも唇部分に対し他の装置への送信用に所定の加工を施した送信用画像を生成する送信用画像生成手段と、
前記マスク情報と、選択された前記唇の色と、前記編集内容とに基づき、前記写真画像における前記被写体の少なくとも唇部分に対し、所定の印刷媒体への印刷用に所定の加工を施した印刷用画像を生成する印刷用画像生成手段と、
を備える画像編集装置。
【請求項２】
請求項１に記載の画像編集装置であって、
前記選択受付手段は、選択された前記唇の色とは別の唇の色の選択を受け付け、
前記表示手段は、前記編集写真画像として、前記写真画像における前記マスク情報に基づく唇の部分に前記別の唇の色を付し、前記唇編集受付手段で記憶された前記編集内容の編集を施して表示する、画像編集装置。
【請求項３】
請求項１又は２に記載の画像編集装置であって、さらに、
前記マスク情報を基に、前記写真画像における被写体の唇部分に前記複数の色の各々を付した複数のフィルタ画像を記憶する記憶手段を備え、
前記編集写真画像は、前記複数のフィルタ画像のうち、選択された唇の色に対応する前記フィルタ画像と、前記写真画像とを含む、画像編集装置。
【請求項４】
請求項１から３のいずれか一項に記載の画像編集装置であって、
前記唇編集受付手段は、前記編集入力として、前記編集写真画像における前記唇の部分をなぞる操作を受け付け、当該なぞる操作によってなぞられた領域を前記編集内容として記憶し、
前記表示手段は、前記編集写真画像における前記唇の部分のうち、前記編集内容が示す領域を消去して表示し、
前記送信用画像生成手段は、前記マスク情報が示す唇の部分から前記編集内容が示す領域を消去したマスク情報を用いて前記送信用画像を生成し、
前記印刷用画像生成手段は、前記マスク情報が示す唇の部分から前記編集内容が示す領域を消去したマスク情報を用いて前記印刷用画像を生成する、画像編集装置。
【請求項５】
請求項１から４のいずれか一項に記載の画像編集装置であって、
前記唇編集受付手段は、さらに、前記選択受付手段で受け付けた唇の色の選択を取り消し、前記唇編集受付手段で記憶された前記編集内容を一括消去する編集取消操作を受け付ける操作部を有し、
前記表示手段は、前記操作部で前記編集取消操作が受け付けられた場合、前記編集写真画像を消去して前記写真画像を表示する、画像編集装置。
【請求項６】
被写体を撮影した写真画像に対する編集入力を受け付ける画像編集方法であって、
前記写真画像における前記被写体の唇部分を特定し、前記唇部分を示すマスク情報を記憶する特定ステップと、
予め定められた複数の色から、唇の色の選択を受け付ける選択受付ステップと、
前記写真画像における前記被写体の前記マスク情報に基づく唇の部分に、選択された前記唇の色を付した編集写真画像を表示する表示ステップと、
表示された前記編集写真画像における前記唇の部分に対して編集入力を受け付け、編集内容を記憶する唇編集受付ステップと、
前記マスク情報と、選択された前記唇の色と、前記編集内容とに基づき、前記写真画像における前記被写体の少なくとも唇部分に対し他の装置への送信用に所定の加工を施した送信用画像を生成する送信用画像生成ステップと、
前記マスク情報と、選択された前記唇の色と、前記編集内容とに基づき、前記写真画像における前記被写体の少なくとも唇部分に対し、所定の印刷媒体への印刷用に所定の加工を施した印刷用画像を生成する印刷用画像生成ステップと、
を含む画像編集方法。
【請求項７】
被写体を撮影した写真画像に対する編集入力を受け付ける画像編集装置のコンピュータに、
前記写真画像における前記被写体の唇部分を特定し、前記唇部分を示すマスク情報を記憶する特定ステップと、
予め定められた複数の色から、唇の色の選択を受け付ける選択受付ステップと、
前記写真画像における前記被写体の前記マスク情報に基づく唇の部分に、選択された前記唇の色を付した編集写真画像を表示する表示ステップと、
表示された前記編集写真画像における前記唇の部分に対して編集入力を受け付け、編集内容を記憶する唇編集受付ステップと、
前記マスク情報と、選択された前記唇の色と、前記編集内容とに基づき、前記写真画像における前記被写体の少なくとも唇部分に対し他の装置への送信用に所定の加工を施した送信用画像を生成する送信用画像生成ステップと、
前記マスク情報と、選択された前記唇の色と、前記編集内容とに基づき、前記写真画像における前記被写体の少なくとも唇部分に対し、所定の印刷媒体への印刷用に所定の加工を施した印刷用画像を生成する印刷用画像生成ステップと、
を実行させる制御プログラム。
【発明の詳細な説明】
【技術分野】
【０００１】
本発明は、画像編集装置、画像編集方法、及び制御プログラムに関する。
【背景技術】
【０００２】
従来から、被写体（利用者）を撮影した写真画像に対して利用者が落書きを行い、その落書きした写真画像を、シール紙に印刷したり、利用者の携帯電話機に送信したりして利用者に提供する写真撮影遊戯機が知られている。
【０００３】
下記特許文献１には、写真シール作成装置で撮影され、編集された画像を印刷するとともに、管理サーバを介してユーザの携帯端末に送信する技術が開示されている。この特許文献１では、写真シール作成装置で表示される編集画像と、シール紙に印刷された印刷画像と、携帯端末で表示された端末画像のそれぞれが同一の色味となるように色味の変換を行う。編集画像、印刷画像、及び端末画像の各々は、同一の撮影画像に、それぞれに適した色味の背景、前景、手書きの線画、スタンプ画像等の合成用画像が合成されている。
【０００４】
また、下記特許文献２には、利用者が撮影画像に化粧処理を施し、利用者好みのプリント画像を印刷する技術が開示されている。この特許文献２では、撮影画像の編集処理において、撮影画像に対して利用者が指定した顔の一部を拡大して表示し、利用者が指定したメイクツールに応じた画像処理を撮影画像に施す。
【先行技術文献】
【特許文献】
【０００５】
【特許文献１】特開２０１３−１３８３１８号公報
【特許文献２】特開２０００−６９４０４号公報
【発明の概要】
【発明が解決しようとする課題】
【０００６】
利用者を撮影して得られる写真画像に対し、メイクツール等を用いて被写体の唇に色を付す編集を施した編集済みの写真画像を、シール紙に印刷したり、携帯電話機に送信する際、シール紙のレイアウトや携帯電話機の表示画面に応じたサイズとなるように、編集済みの写真画像のサイズ変更を行う必要がある。編集済みの写真画像にこのようなサイズ変更を行うと、画像が粗くなる。また、編集済みの写真画像そのものを利用して携帯用、印刷用の画像を作成すると、編集画面で確認した唇の色味が、携帯電話機又はシール紙で確認した場合に異なって見え、利用者が満足するような編集済みの写真画像を提供することができない。
【０００７】
本発明は、写真画像における被写体の唇に利用者による編集がなされた写真画像の画質を劣化させることなく、印刷及び送信に適した写真画像を利用者に提供しうる技術を提供することを課題とする。
【課題を解決するための手段】
【０００８】
本発明に係る画像編集装置は、被写体を撮影した写真画像に対する編集入力を受け付ける画像編集装置であって、前記写真画像における前記被写体の唇部分を特定し、前記唇部分を示すマスク情報を記憶する特定手段と、予め定められた複数の色から、唇の色の選択を受け付ける選択受付手段と、前記マスク情報と、選択された前記唇の色とに基づき、前記写真画像における前記被写体の少なくとも唇部分に対し、他の装置への送信用に所定の加工を施した送信用画像を生成する送信用画像生成手段と、前記マスク情報と、選択された前記唇の色とに基づき、前記写真画像における前記被写体の少なくとも唇部分に対し、所定の印刷媒体への印刷用に所定の加工を施した印刷用画像を生成する印刷用画像生成手段と、を備える。
【０００９】
つまり、上記画像編集装置は、写真画像に対する編集入力を受け付け、写真画像における被写体の唇部分を特定したマスク情報を記憶し、予め定められた複数の色から唇の色の選択を受け付ける。画像編集装置は、マスク情報と選択された唇の色とに基づいて、写真画像の少なくとも唇部分に対し、他の装置への送信用と、所定の印刷媒体への印刷用の各々に応じた所定の加工をそれぞれ施して送信用画像と印刷用画像とを生成する。この構成によれば、写真画像における被写体の少なくとも唇部分に対し、マスク情報と利用者によって選択された唇の色に基づき、送信用と印刷用に応じた所定の加工が各々施される。そのため、メイクツール等で唇の色が編集された編集済みの写真画像を元に、送信用と印刷用の画像を生成する場合と比べ、唇の色味が変化したり、画像が粗くなったりする等の画質劣化を生じさせることなく、他の装置と所定の印刷媒体とに各々に適した写真画像を利用者に提供することができる。
【００１０】
また、上記画像編集装置において、さらに、前記写真画像における前記マスク情報に基づく唇の部分に、選択された前記唇の色を付した画像を当該写真画像に重ねて表示する表示手段と、表示された前記画像の唇部分の編集入力を受け付け、編集内容を記憶する唇編集受付手段と、を備え、前記送信用画像生成手段は、さらに、前記編集内容に基づいて前記送信用の所定の加工を施し、前記印刷用画像生成手段は、さらに、前記編集内容に基づいて前記印刷用の所定の加工を施す。
【００１１】
つまり、上記画像編集装置は、さらに、写真画像におけるマスク情報に基づく被写体の唇部分に選択された唇の色を付した画像を写真画像に重ねて表示し、唇部分に対する編集を受け付けるとともに、その編集内容を記憶する。また、画像編集装置は、記憶された編集内容に基づいて、送信用画像と印刷用画像を生成する。この構成によれば、利用者は、表示された写真画像における唇部分に対して所望する編集を行うことができ、その編集内容が反映された送信用画像と印刷用画像を得ることができる。
【００１２】
また、上記画像編集装置において、前記選択受付手段は、選択された前記唇の色とは別の唇の色の選択を受け付け、前記表示手段は、前記写真画像における前記マスク情報に基づく唇の部分に前記別の唇の色を付した画像に、前記唇編集受付手段で記憶された前記編集内容の編集を施して当該写真画像に重ねて表示することとしてもよい。
【００１３】
つまり、画像編集装置は、選択された唇の色とは別の唇の色の選択を受け付け、その別の唇の色を写真画像における被写体の唇部分に付した画像に対し、記憶されている編集内容の編集を施す。この構成によれば、利用者は、別の唇の色を選択しても、写真画像における唇部分にその別の唇の色を付した画像に対して前回と同じ編集を行わずに済む。
【００１４】
また、上記画像編集装置は、さらに、前記マスク情報を基に、前記写真画像における被写体の唇部分に前記複数の色の各々を付した複数のフィルタ画像を記憶する記憶手段を備え、前記表示手段は、前記写真画像に重ねる前記画像として、前記複数のフィルタ画像のうち、選択された前記唇の色に対応する前記フィルタ画像を用いることとしてもよい。
【００１５】
つまり、上記画像編集装置は、さらに、マスク情報に基づいて写真画像における被写体の唇部分に複数の色の各々を付した複数のフィルタ画像を記憶し、選択された唇の色に対応するフィルタ画像を写真画像に重ねて表示する。この構成によれば、複数のフィルタ画像が予め記憶されているため、唇の色が選択されるごとに、選択された唇の色を被写体の唇部分に付した画像を生成して写真画像に重ねて表示する場合と比べ、画像編集処理における処理負荷を軽減することができる。
【００１６】
また、上記画像編集装置において、前記唇編集受付手段は、さらに、前記選択受付手段で受け付けた唇の色の選択を取り消し、前記唇編集受付手段で記憶された前記編集内容を一括消去する編集取消操作を受け付ける操作部を有し、前記表示手段は、前記操作部で前記編集取消操作が受け付けられた場合、前記画像を消去して前記写真画像を表示する、こととしてもよい。
【００１７】
上記画像編集装置は、さらに、唇の色の選択を取り消し、記憶された編集内容を一括消去する編集取消操作を受け付ける操作部を有し、編集取消操作を受け付けた場合、選択された唇の色を写真画像における唇部分に付した画像を消去し、写真画像を表示する。この構成によれば、利用者は、写真画像における被写体の唇の色の選択を取り消すとともに、唇部分に対する編集内容を一括して消去することができるので、本構成を備えていない場合と比べ、写真画像における唇部分に対する編集入力の操作性及び利便性を向上させることができる。
【００１８】
本発明に係る画像編集方法は、被写体を撮影した写真画像に対する編集入力を受け付ける画像編集方法であって、前記写真画像における前記被写体の唇部分を特定し、前記唇部分を示すマスク情報を記憶する特定ステップと、予め定められた複数の色から、唇の色の選択を受け付ける選択受付ステップと、前記マスク情報と、選択された前記唇の色とに基づき、前記写真画像における前記被写体の少なくとも唇部分に対し、他の装置への送信用に所定の加工を施した送信用画像を生成する送信用画像生成ステップと、前記マスク情報と、選択された前記唇の色とに基づき、前記写真画像における前記被写体の少なくとも唇部分に対し、所定の印刷媒体への印刷用に所定の加工を施した印刷用画像を生成する印刷用画像生成ステップと、を含む。
【００１９】
本発明に係る制御プログラムは、被写体を撮影した写真画像に対する編集入力を受け付ける画像編集装置のコンピュータに、前記写真画像における前記被写体の唇部分を特定し、前記唇部分を示すマスク情報を記憶する特定ステップと、予め定められた複数の色から、唇の色の選択を受け付ける選択受付ステップと、前記マスク情報と、選択された前記唇の色とに基づき、前記写真画像における前記被写体の少なくとも唇部分に対し、他の装置への送信用に所定の加工を施した送信用画像を生成する送信用画像生成ステップと、前記マスク情報と、選択された前記唇の色とに基づき、前記写真画像における前記被写体の少なくとも唇部分に対し、所定の印刷媒体への印刷用に所定の加工を施した印刷用画像を生成する印刷用画像生成ステップと、を実行させる。
【図面の簡単な説明】
【００２０】
【図１】図１は、実施形態に係る写真撮影遊戯機の外観を表す模式図である。
【図２】図２は、図１に示す正面筐体を表す模式図である。
【図３】図３は、図１に示す背面筐体を表す模式図である。
【図４】図４は、実施形態における編集ブースの編集ユニット及び事後接客部を表す斜視図である。
【図５】図５は、図１に示す写真撮影遊戯機の機能ブロック図である。
【図６】図６は、図１に示す写真撮影遊戯機の全体動作を示すフロー図である。
【図７】図７は、図６に示す事前接客処理の動作フロー図である。
【図８】図８は、図６に示す撮影処理の動作フロー図である。
【図９】図９は、図６に示す画像編集処理の動作フロー図である。
【図１０】図１０は、図９に示す落書き前処理の動作フロー図である。
【図１１】図１１は、図９に示す落書き処理の編集画面を例示した模式図である。
【図１２Ａ】図１２Ａは、実施形態における編集写真画像を例示した模式図である。
【図１２Ｂ】図１２Ｂは、図１２Ａに示す編集写真画像の背景レイヤを例示した模式図である。
【図１２Ｃ】図１２Ｃは、図１２Ａに示す編集写真画像の人物レイヤを例示した模式図である。
【図１２Ｄ】図１２Ｄは、図１２Ａに示す編集写真画像のフィルタレイヤを例示した模式図である。
【図１３Ａ】図１３Ａは、図１２Ａに示す編集写真画像の唇部分を編集した状態を表す模式図である。
【図１３Ｂ】図１３Ｂは、図１３Ａに示す編集写真画像の唇編集マスクを例示した模式図である。
【図１３Ｃ】図１３Ｃは、図１３Ａに示す編集写真画像とは別の色のフィルタ画像が合成された編集写真画像を例示した模式図である。
【図１４】図１４は、図９に示す送信用画像生成処理の動作フロー図である。
【図１５】図１５は、図９に示す印刷用画像生成処理の動作フロー図である。
【図１６】図１６は、アップ撮影コースに対応するシート画像を例示した平面図である。
【図１７】図１７は、図６に示す事後接客処理の動作フロー図である。
【図１８】図１８は、図１７に示す画像送信処理における画像選択画面を例示した図である。
【発明を実施するための形態】
【００２１】
以下、本発明の実施形態について図面を参照しつつ説明する。図中同一及び相当する構成については、同一の符号を付して同じ説明を繰り返さない。
【００２２】
＜＜１．写真撮影遊戯機の構成＞＞
＜１．１．全体構成＞
図１は、本実施形態に係る画像編集装置を含む写真撮影遊戯機の外観を表す模式図である。写真撮影遊戯機１は、撮影ブース２と、事前接客部３と、編集ブース４と、事後接客部５（図４参照）と、を備えている。
【００２３】
＜１．２．撮影ブースの構成＞
撮影ブース２は、図１に示すように、正面筐体２０Ａ及び背面筐体２０Ｂによって区画された空間である。撮影ブース２内では、被写体である利用者の写真撮影が行われる。なお、説明の便宜上、正面筐体２０Ａ側を前、背面筐体２０Ｂ側を後ろといい、正面筐体２０Ａに向かって右を単に右、正面筐体２０Ａに向かって左を単に左という。図１に示すように、正面筐体２０Ａと背面筐体２０Ｂとは前後方向に間を空けて配置されており、利用者は、正面筐体２０Ａと背面筐体２０Ｂとの間を通って撮影ブース２に出入りする。
【００２４】
図２は、正面筐体２０Ａを表す斜視図である。図２に示すように、正面筐体２０Ａの内側には、撮影ユニット２０が設けられている。撮影ユニット２０は、カメラ２１と、正面ディスプレイ２２と、照明装置２３Ａ〜２３Ｈと、後述するスピーカ４５０（図５参照）と、を備えている。以下、照明装置２３Ａ〜２３Ｈを区別しないときは、照明装置２３と称する。
【００２５】
カメラ２１は、正面筐体２０Ａの内側前面の幅方向中央付近に配置されている。カメラ２１は、撮影ブース２内の利用者（被写体）を撮影し、所定のタイミングで静止画像として記録する。
【００２６】
正面ディスプレイ２２は、カメラ２１の下方に配置されている。正面ディスプレイ２２は、カメラ２１によって撮影された利用者の映像を左右反転させ、リアルタイムにライブ表示する。また、正面ディスプレイ２２上にはタッチパネルが配置されており、タッチパネルを介して、利用者による入力操作が受け付けられる。利用者による入力操作は、利用者が正面ディスプレイ２２にタッチペン（図示略）又は指で直接タッチすることによって受け付けられる。
【００２７】
照明装置２３Ａは、カメラ２１の上方に配置され、照明装置２３Ｆは、カメラの左右に配置されている。照明装置２３Ｂ及び２３Ｃと、照明装置２３Ｄ及び２３Ｅは、カメラ２１及び正面ディスプレイ２２を挟んで略左右対称に設けられている。照明装置２３Ａ、２３Ｂ、２３Ｃ、２３Ｄ、２３Ｅ、２３Ｇ、２３Ｈは、ストロボ光源及び蛍光灯光源を有している。ストロボ光源は、カメラ２１が利用者のライブ映像を静止画として記録する瞬間に発光し、発光面を介して撮影ブース２内の利用者に光を照射する。照明装置２３Ｆは、蛍光灯光源のみを有しており、撮影ブース２内を常時照明する。
【００２８】
図３は、背面筐体２０Ｂを表す斜視図である。図３に示すように、背面筐体２０Ｂにおいて、正面筐体２０Ａと向かい合う内側の面には、背面パネル２４が設けられている。背面パネル２４は、クロマキー合成用のパネルであってもよいし、クロマキー合成用のカーテンを備えていてもよい。背面筐体２０Ｂの床面２５上には、クロマキー合成用の床マットや床板等の床部材（図示略）が設けられる。床部材の色は、背面パネル２４の色と同じであり、例えば黄緑色等とされる。特に図示しないが、撮影ブース２内側において、背面筐体２０Ｂの天井や左右側面に、照明装置（図示略）が設けられていてもよい。
【００２９】
＜１．３．事前接客部の構成＞
事前接客部３は、図１及び図２に示すように、撮影ブース２の外に設けられており、受付装置３０を備える。受付装置３０は、正面筐体２０Ａの左側の側面に配置されている。ただし、受付装置３０は、正面筐体２０Ａの右側の側面に設けられていてもよいし、正面筐体２０Ａの左右両方の側面に設けられていてもよい。
【００３０】
受付装置３０は、受付用ディスプレイ３１と、コイン投入口３２と、スピーカ３３と、を備えている。
【００３１】
受付用ディスプレイ３１は、利用者がプレイに関する各種設定を入力するための画面等を表示する。受付用ディスプレイ３１上にはタッチパネルが配置されており、タッチパネルを介して、利用者による入力操作が受け付けられる。利用者による入力操作は、利用者が受付用ディスプレイ３１にタッチペン（図示略）又は指で直接タッチすることによって受け付けられる。コイン投入口３２には、利用者によってコインが投入される。スピーカ３３は、操作案内やＢＧＭ等の音声を出力する。
【００３２】
＜１．４．編集ブースの構成＞
編集ブース４は、図１及び図４に示すように、正面筐体２０Ａの前方に設けられており、編集ユニット４０を備えている。編集ユニット４０は、２つの画像編集装置４１と、各画像編集装置４１を支持する編集筐体４３とを備えている。
【００３３】
２つの画像編集装置４１は、左右対称となるよう背中合わせに配置されている。図４では、２つの画像編集装置４１のうち、左側に配置された画像編集装置４１のみが示されている。各画像編集装置４１は、編集用ディスプレイ４１１と、２本のタッチペン４１２と、後述するスピーカ４１３（図５参照）と、非接触通信装置９７とを備えている。
【００３４】
編集用ディスプレイ４１１には、利用者に画像編集を行わせるために、撮影ブース２での撮影によって生成された写真画像が表示される。編集用ディスプレイ４１１上にはタッチパネルが配置されており、タッチパネルを介して、写真画像に対する利用者による編集操作が受け付けられる。
【００３５】
２本のタッチペン４１２は、編集用ディスプレイ４１１の両側に配置されている。利用者による編集操作は、利用者が各タッチペン４１２で編集用ディスプレイ４１１にタッチすることによって受け付けられる。ただし、利用者による編集操作は、利用者が編集用ディスプレイ４１１に指で直接タッチすることによって受け付けられてもよい。
【００３６】
スピーカ４１３は、操作案内やＢＧＭ等の音声を出力する。非接触通信装置９７は、画像の取得に必要な情報等を利用者の端末装置に送信する際に用いられる。
【００３７】
＜１．５．事後接客部の構成＞
事後接客部５は、図４に示すように、編集ユニット４０に設けられており、受付装置５０を備えている。
【００３８】
受付装置５０は、受付用ディスプレイ５１と、写真シール排出口５２と、スピーカ５３と、を備えている。
【００３９】
受付用ディスプレイ５１は、画像送信に際して、送信する画像を選択したり、画像を携帯電話機等で受け取るためのメールアドレスを入力したりするための画面等を表示する。受付用ディスプレイ５１上にはタッチパネルが配置されており、タッチパネルを介して、利用者による入力操作が受け付けられる。利用者による入力操作は、指で直接タッチすることによって受け付けられるが、タッチペンによってタッチすることによって受け付けられてもよい。写真シール排出口５２は、受付装置５０に設けられており、編集筐体４３内に備わるプリンタ６５０（図５参照）で印刷された写真シールが排出される。スピーカ５３は、操作案内やＢＧＭ等の音声を出力する。
【００４０】
＜１．６．写真撮影遊戯機の機能構成＞
次に、写真撮影遊戯機１の機能構成について、図５を参照しつつ説明する。
【００４１】
＜１．６．１．制御装置の構成＞
図５に示すように、写真撮影遊戯機１は、制御装置１００を備えている。制御装置１００は、コンピュータ装置１０１と、制御基板１０２と、クロマキーキャプチャボード１７と、を備えている。
【００４２】
コンピュータ装置１０１は、撮影ユニット２０、受付装置３０、編集ユニット４０の各画像編集装置４１、受付装置５０、及びプリンタ６５０と接続されている。コンピュータ装置１０１は、制御基板１０２を介して、発光制御部１１０、蛍光灯１４、コイン制御部１１２、及びサービスパネル１１３と接続されている。
【００４３】
コンピュータ装置１０１は、Ｃｅｎｔｒａｌ  Ｐｒｏｃｅｓｓｉｎｇ  Ｕｎｉｔ（ＣＰＵ）１０３と、ハードディスク（ＨＤＤ）１０４と、メモリ１０５と、通信部１０６と、を備えている。
【００４４】
ＣＰＵ１０３は、ＨＤＤ１０４に記憶されている制御プログラムを実行することにより、後述する写真撮影遊戯機１の各機能を実現する。
【００４５】
ＨＤＤ１０４は、ＣＰＵ１０３によって実行される制御プログラム、各処理に必要なグラフィックデータ、音声データ、生成された写真画像を示す写真画像データ、及び、写真画像に対する編集に際して予め用意された編集画像などの各種画像データ、予め用意された撮影コースを示す情報、予め用意された複数の背景画像を示す背景画像データ等の各種設定データを記憶する。
【００４６】
メモリ１０５は、コンピュータ装置１０１のメインメモリであり、ＣＰＵ１０３が制御プログラムを実行する際の一時的な作業領域である。通信部１０６は、ネットワークを介してサーバ（図示略）及び非接触通信装置９７との通信を行う。
【００４７】
制御基板（デジタル入出力ボード（ＤＩＯ））１０２は、コンピュータ装置１０１と接続され、コンピュータ装置１０１との間で信号の入出力を行う。また、制御基板１０２は、コイン制御部１１２、発光制御部１１０、蛍光灯１４、及びサービスパネル１１３とも接続されており、これらとの間で信号の入出力を行う。
【００４８】
＜１．６．２．事前接客処理時に動作する機能＞
ＣＰＵ１０３は、ＨＤＤ１０４に記憶された制御プログラムを実行することにより、事前接客処理において予め定められた情報を受付用ディスプレイ３１に表示し、事前接客処理において予め定められた音声をスピーカ３３から出力させる。
【００４９】
＜１．６．３．写真画像生成処理時に動作する機能＞
ＣＰＵ１０３は、ＨＤＤ１０４に記憶された制御プログラムを実行することにより、写真画像生成処理において予め定められた情報を正面ディスプレイ２２に表示し、写真画像生成処理において予め定められた音声をスピーカ４５０から出力させる。
【００５０】
ＣＰＵ１０３は、ＨＤＤ１０４に記憶された制御プログラムを実行することにより、発光制御部１１０によって照明装置２３を制御する。発光制御部１１０は、例えば、照明装置２３の発光タイミングや発光量を制御する。
【００５１】
クロマキーキャプチャボード１７は、撮影ユニット２０及びコンピュータ装置１０１と接続されている。クロマキーキャプチャボード１７は、カメラ２１が撮影しているライブ映像を所定の間隔（例えば３０フレーム／秒）で写真画像データとして取り込む。クロマキーキャプチャボード１７は、各写真画像データから被写体である利用者の領域を抽出し、コンピュータ装置１０１に転送する。
【００５２】
＜１．６．４．画像編集処理時に動作する機能＞
ＣＰＵ１０３は、ＨＤＤ１０４に記憶された制御プログラムを実行することにより、画像編集処理において予め定められた情報を編集用ディスプレイ４１１に表示し、画像編集処理において予め定められた音声をスピーカ４１３から出力させる。
【００５３】
コンピュータ装置１０１は、プリンタ６５０と接続されている。ＣＰＵ１０３は、ＨＤＤ１０４に記憶された制御プログラムを実行することにより、プリンタ６５０に印刷処理を行わせる。
【００５４】
＜１．６．５．事後接客処理時に動作する機能＞
ＣＰＵ１０３は、ＨＤＤ１０４に記憶された制御プログラムを実行することにより、事後接客処理において予め定められた情報を受付用ディスプレイ５１に表示し、事後接客処理において予め定められた音声をスピーカ５３から出力させる。
【００５５】
＜＜２．写真撮影遊戯機の動作＞＞
次に、写真撮影遊戯機１の動作について説明する。以下で説明する各処理は、図５に示すＣＰＵ１０３が制御プログラムを実行することにより行う。
【００５６】
図６は、写真撮影遊戯機１の全体動作を示すフロー図である。写真撮影遊戯機１は、まず、プレイの開始を受け付けるための事前接客処理を行う（ステップＳ１０）。次に、写真撮影遊戯機１は、事前接客処理で受け付けたプレイごとに写真画像生成処理を行う（ステップＳ２０）。その後、写真撮影遊戯機１は、写真画像生成処理で生成された写真画像に対する画像編集処理を行う（ステップＳ３０）。最後に、写真撮影遊戯機１は、画像編集処理後の写真画像について事後接客処理を行う（ステップＳ４０）。以下、各処理について詳述する。
【００５７】
＜２．１．事前接客処理＞
まず、事前接客処理（ステップＳ１０）について説明する。図７は、事前接客処理のフロー図である。
【００５８】
ＣＰＵ１０３は、プレイのデモンストレーション映像を表すデモ画面を受付用ディスプレイ３１に表示する(ステップＳ１１１)。ＣＰＵ１０３は、利用者が１プレイ分のコインを投入口３２に投入するまで、デモ画面の表示を継続する（ステップＳ１１２でＮｏの場合）。このとき、ＣＰＵ１０３は、デモンストレーション映像に応じたＢＧＭ等をスピーカ３３から出力させてもよい。
【００５９】
コイン投入口３２に１コインが投入されると、コイン制御部１１２（図５参照）により、コインが投入されたことを示す情報が制御基板１０２を介してコンピュータ装置１０１に出力される。ＣＰＵ１０３は、コイン制御部１１２からの情報ごとにコインカウントを１つインクリメントする。ＣＰＵ１０３は、コインカウントが１プレイ分に達すると、１プレイ分のコインが受け付けられたと判断し（ステップＳ１１２でＹｅｓの場合）、プレイを開始し、ステップＳ１１３以下の処理を行う。
【００６０】
ＣＰＵ１０３は、撮影コース選択画面（図示略）を受付用ディスプレイ３１に表示させ、利用者による撮影コースの選択を受け付ける（ステップＳ１１３）。本実施形態では、撮影コースとして、利用者の上半身を撮影するアップ撮影コースと、利用者の上半身と全身とを撮影するアップ全身撮影コースとが用意されており、利用者はいずれか一方を選択することができる。このとき、ＣＰＵ１０３は、撮影コースの選択を促す音声をスピーカ３３から出力させてもよい。ＣＰＵ１０３は、撮影コースの選択が可能な残り時間をカウントダウンするタイマーを受付用ディスプレイ３１に表示させる。なお、以下の説明において、利用者の上半身を撮影した写真画像をアップ画像、利用者の全身を撮影した写真画像を全身画像と称する。
【００６１】
本実施形態では、アップ撮影コースが選択された場合、利用者の上半身を６回撮影し、アップ全身撮影コースが選択された場合、利用者の上半身を４回撮影するとともに、利用者の全身を２回撮影する。以下、ステップＳ１１３において、アップ撮影コースが選択されたものとして説明する。
【００６２】
次に、ＣＰＵ１０３は、名前入力画面（図示略）を受付用ディスプレイ３１に表示させ、利用者による名前の入力を受け付ける（ステップＳ１１４）。このとき、ＣＰＵ１０３は、名前の入力を促す音声をスピーカ３３から出力させてもよい。ＣＰＵ１０３は、名前の入力が可能な残り時間をカウントダウンするタイマーを受付用ディスプレイ３１に表示させる。
【００６３】
続いて、ＣＰＵ１０３は、写り選択画面（図示略）を受付用ディスプレイ３１に表示させ、利用者による写りの選択を受け付ける（ステップＳ１１５）。写り選択画面には、例えば「ふんわり」又は「くっきり」等、仕上がりの写真画像のイメージを表す選択肢が表示され、利用者の選択に応じてストロボ光源の発光量や発光箇所等が調整される。
【００６４】
ＣＰＵ１０３は、生成される写真画像に合成する背景画像の選択を受け付けるための背景画像選択画面（図示略）を受付用ディスプレイ３１に表示させ、撮影回ごとの背景画像の選択を受け付ける（ステップＳ１１６）。
【００６５】
利用者による背景画像の選択が終了すると、ＣＰＵ１０３は、撮影ブース２が空いているか否かを判断する（ステップＳ１１７）。撮影ブース２が空いていない場合（ステップＳ１１７でＮｏの場合）、ＣＰＵ１０３は、利用者に対して待機を促す待機画面（図示略）を受付用ディスプレイ３１に表示させる（ステップＳ１１８）。撮影ブース２が空いている場合（ステップＳ１１７でＹｅｓの場合）、ＣＰＵ１０３は、撮影ブース２への移動を誘導する誘導画面（図示略）を受付用ディスプレイ３１に表示させる（ステップＳ１１９）。このとき、ＣＰＵ１０３は、誘導画面の表示とともに、利用者を撮影ブース２へ誘導する音声をスピーカ３３から出力させてもよい。
【００６６】
ＣＰＵ１０３は、利用者によって入力された名前を示す名前データ、選択された写りを示す写り選択データ、選択された撮影コース、及び、撮影回数ごとの背景画像を示す背景画像データをメモリ１０５に記憶する（ステップＳ１２０）。
【００６７】
＜２．２．写真画像生成処理＞
次に、写真画像生成処理（ステップＳ２０）について説明する。図８は、写真画像生成処理のフロー図である。
【００６８】
ＣＰＵ１０３は、撮影ブース２内の正面ディスプレイ２２に、撮影開始を案内する撮影開始画面（図示略）を表示する（ステップＳ２１１）。撮影開始画面には、撮影開始ボタンが表示されており、利用者がこの撮影開始ボタンにタッチすることにより以降の処理が開始される。
【００６９】
利用者が撮影開始ボタンにタッチすると、ＣＰＵ１０３は、撮影を開始する（ステップＳ２１２）。なお、この例では、「アップ撮影コース」を利用者が選択しているため、まず、利用者の上半身を６回撮影するが、アップ撮影コースとアップ全身撮影コースのいずれの場合も、これら通常の撮影に加え、利用者の上半身を撮影するスペシャル撮影を１回行う。スペシャル撮影によって得られるアップ画像には、例えば、モノクロ調変換やセピア調変換等の特殊な画像処理が施される。
【００７０】
ＣＰＵ１０３は、選択された撮影コースに応じた画角となるようにカメラ２１のズーム設定を行い、所定のフレームレートで利用者の映像を撮影する。撮影に際し、ＣＰＵ１０３は、カメラ２１で撮影された映像のうち被写体の背後に写る背面パネル２４の部分を透明にするクロマキー処理をクロマキーキャプチャボード１７に行わせる。ＣＰＵ１０３は、写真シールの仕上がりを利用者にイメージさせるため、クロマキー処理された映像と、ステップＳ１１５で選択された背景画像とを重ね合わせて正面ディスプレイ２２にライブ表示する。上記したように、撮影回数ごとの背景画像データがメモリ１０５に記憶されている。ＣＰＵ１０３は、撮影毎に、その撮影回数に応じた背景画像データをメモリ１０５から読み出し、正面ディスプレイ２２に背景画像を表示する。
【００７１】
ＣＰＵ１０３は、カメラ２１を制御して、アップ撮影コースに応じた６回の撮影を行い、撮影順に、６枚のアップ画像ＵＰ１〜ＵＰ６（以下、通常アップ画像と称する）を生成し、その後、スペシャル撮影を行って１枚のアップ画像ＵＰ７（以下、スペシャル画像と称する）を生成する。そして、ＣＰＵ１０３は、生成した６枚の通常アップ画像ＵＰ１〜ＵＰ６と１枚のスペシャル画像ＵＰ７とをメモリ１０５に記憶する（ステップＳ２１２）。
【００７２】
その後、ＣＰＵ１０３は、編集ブース４が空いているか否かを判断する（ステップＳ２１３）。編集ブース４が空いていない場合（ステップＳ２１３でＮｏの場合）、ＣＰＵ１０３は、利用者に対して待機を促す待機画面（図示略）を正面ディスプレイ２２に表示させる（ステップＳ２１４）。編集ブース４が空いている場合（ステップＳ２１３でＹｅｓの場合）、ＣＰＵ１０３は、編集ブース４への移動を誘導する誘導画面（図示略）を正面ディスプレイ２２に表示させる（ステップＳ２１５）。なお、ＣＰＵ１０３は、誘導画面の表示とともに、利用者を編集ブース４へ誘導する音声をスピーカ４５０から出力させてもよい。
【００７３】
＜２．３．画像編集処理＞
次に、画像編集処理（ステップＳ３０）について説明する。図９は、画像編集処理のフロー図である。
【００７４】
ＣＰＵ１０３は、撮影ブース２から編集ブース４へと利用者が移動する間に、撮影処理（Ｓ２１２）において生成された６枚の通常アップ画像ＵＰ１〜ＵＰ６に対して落書き前処理を行う（ステップＳ３１１）。
【００７５】
図１０は、落書き前処理の動作フロー図である。ＣＰＵ１０３は、処理対象となる通常アップ画像を、メモリ１０５から順次読み出し（ステップＳ３１１１）、読み出した通常アップ画像に対する唇マスク情報を生成し、唇マスク情報を通常アップ画像と対応づけてメモリ１０５に記憶する（ステップＳ３１１２）。唇マスク情報は、通常アップ画像における被写体の唇部分の領域を示す情報である。ＣＰＵ１０３は、通常アップ画像に対して顔認識処理を行い、通常アップ画像に含まれる被写体の唇部分を特定して唇マスク情報を生成する。なお、本実施形態では、顔認識処理によって特定した唇の領域よりも大きい領域を唇部分として特定する。顔認識処理によって特定した唇の領域が、通常アップ画像における実際の被写体の唇の領域とずれてしまうことがある。本実施形態では、利用者の操作によって唇の部分を加えるような編集を行うことはできないが、後述するリップ消しゴムを用いて、実際の唇の領域からはみ出した部分を消去することは可能となっている。そのため、唇マスク情報において、実際の被写体の唇の領域が極力含まれるように、顔認識処理によって特定した唇の領域よりも大きい領域を唇部分として特定している。
【００７６】
次に、ＣＰＵ１０３は、処理対象の通常アップ画像において、ステップＳ３１１２で生成された唇マスク情報が示す領域に、予め定められた複数の唇の属性情報に基づく画像処理を施して唇部分のフィルタ画像を複数生成し、複数のフィルタ画像のデータを通常アップ画像と対応づけてメモリ１０５に記憶する（ステップＳ３１１３）。
【００７７】
本実施形態において、属性情報は、唇の色（ＲＧＢ値）と唇の艶等の質感を示す情報とを有するが、少なくとも唇の色を示す情報を有していればよい。この例では、属性情報は８種類設定されており、以下、８種類の属性情報を、属性情報ａ〜ｈと称する。また、この例において、属性情報ａとｃ、ｂとｄ、ｅとｇ、ｆとｈの唇の色（ＲＧＢ値）は同じである。属性情報ａ，ｂ，ｅ，ｆは艶の無い質感を表すための画像処理用パラメータを含み、属性情報ｃ，ｄ，ｇ，ｈは艶のある質感を表すための画像処理用パラメータを含む。なお、属性情報の種類は２種類以上であればよく、８種類に限定されるものではない。
【００７８】
ＣＰＵ１０３は、通常アップ画像における唇マスク情報が示す領域に、属性情報ａ〜ｈの各々に含まれる唇の色を付した唇部分の画像を生成する。そして、各属性情報で示される唇の色が付された画像に対し、その属性情報に含まれる画像処理用パラメータを用いてシャープ処理やぼかし処理等の画像処理を行うことにより、その属性情報に応じた質感を有するフィルタ画像を生成する。これにより、１枚の通常アップ画像に対して、８種類の属性情報ａ〜ｈに基づく８つのフィルタ画像ＬＰａ〜ＬＰｈが生成される。フィルタ画像ＬＰａとＬＰｃ、フィルタ画像ＬＰｂとＬＰｄ、フィルタ画像ＬＰｅとＬＰｇ、フィルタ画像ＬＰｆとＬＰｈの各組の色（ＲＧＢ値）は同じである。また、フィルタ画像ＬＰａ，ＬＰｂ，ＬＰｅ，ＬＰｆは艶の無い質感を表し、フィルタ画像ＬＰｃ，ＬＰｄ，ＬＰｇ，ＬＰｈは艶のある質感を表している。
【００７９】
ＣＰＵ１０３は、６枚の通常アップ画像ＵＰ１〜ＵＰ６ごとに１つの唇マスク情報と８つの唇フィルタ画像ＬＰａ〜ＬＰｈとを生成する処理を終えるまで（ステップＳ３１１４でＮｏの場合）、ステップＳ３１１１〜Ｓ３１１３の処理を繰り返し行う。ＣＰＵ１０３は、通常アップ画像ＵＰ１〜ＵＰ６に対して唇マスク情報とフィルタ画像とを生成する処理を終えると（ステップＳ３１１４でＹｅｓの場合）、落書き前処理を終了する。
【００８０】
図９に戻り、ＣＰＵ１０３は、落書き前処理の後、例えば画像編集に関するデモンストレーション映像等を表示する待機画面（図示略）を編集用ディスプレイ４１１（図４参照）に表示させる（ステップＳ３１２）。
【００８１】
撮影ブース２から編集ブース４へ移動した利用者が待機画面にタッチペン４１２（図４参照）でタッチすると、ＣＰＵ１０３は、ステップＳ２１２で生成された各通常アップ画像の仕上がりの目の大きさ及び画像の明るさを選択するための画面（図示略）を編集用ディスプレイ４１１に表示し、利用者による選択を受け付ける(ステップＳ３１３)。
【００８２】
ＣＰＵ１０３は、各通常アップ画像ＵＰ１〜ＵＰ６及びスペシャル画像ＵＰ７に対し、ステップＳ３１３で選択された目の大きさ及び明るさに応じた画像処理を施し、スペシャル画像ＵＰ７に対しては、さらに、例えば、通常アップ画像ＵＰをモノクロ画像に変換する画像処理を施す。ＣＰＵ１０３は、通常アップ画像ＵＰ１〜ＵＰ６及びスペシャル画像ＵＰ７の画像処理後、通常アップ画像ＵＰ１〜ＵＰ６及びスペシャル画像ＵＰ７を所定の画像サイズとなるようにトリミングする。
【００８３】
本実施形態において、通常アップ画像ＵＰ１〜ＵＰ６は、例えば、画像の縦横比が１．２：１となる所定の画像サイズにトリミングされる。また、スペシャル画像ＵＰ７は、通常アップ画像ＵＰ１〜ＵＰ６と同様の縦横比で、通常アップ画像ＵＰ１〜ＵＰ６よりも大きい画像サイズにトリミングされる。なお、アップ全身撮影コースの場合には、４枚の通常アップ画像に加え、被写体の全身が撮影された２枚の通常全身画像が生成される。通常全身画像は、通常アップ画像よりも縦に長い、例えば、縦横比が１６：９となる所定の画像サイズにトリミングされる。
【００８４】
これにより、通常アップ画像ＵＰ１〜ＵＰ６を基とする６枚の写真画像Ｔ１〜Ｔ６（以下、通常アップ写真画像と称する）と、スペシャル画像ＵＰ７を基とする１枚の写真画像Ｔ７（以下、スペシャル写真画像と称する）が生成される（ステップＳ３１４）。
【００８５】
ステップＳ３１４の後、ＣＰＵ１０３は、編集用ディスプレイ４１１に編集画面を表示して落書き処理（編集処理）を開始する（ステップＳ３１５）。
【００８６】
図１１は、本実施形態における編集画面を例示した模式図である。図１１に示すように、編集画面４１０は、落書き案内表示領域４１００と、編集領域４１０１（４１０１Ａ，４１０１Ｂ）と、サムネイル画像表示領域４１０２（４１０２Ａ，４１０２Ｂ）と、ツール選択タブ４１０３（４１０３Ａ，４１０３Ｂ）と、パレット選択タブ４１０４（４１０４Ａ，４１０４Ｂ）と、編集ツール表示領域４１０５（４１０５Ａ，４１０５Ｂ）と、ＥＮＤボタン４１０７（４１０７Ａ，４１０７Ｂ）と、を含む。
【００８７】
落書き案内表示領域４１００には、落書きを案内する動画が表示される。サムネイル画像表示領域４１０２には、ステップＳ３１４で生成された６枚の通常アップ写真画像Ｔ１〜Ｔ６の各々の縦横比を維持した状態で縮小したサムネイル画像Ｓ（Ｓ１〜Ｓ６）が撮影順に表示される。
【００８８】
編集領域４１０１Ａ，４１０１Ｂには、初期状態において、サムネイル画像表示領域４１０２Ａ，４１０２Ｂにおけるサムネイル画像Ｓのうち、互いに異なる１枚のサムネイル画像の通常アップ写真画像を元にクロマキー処理を行った被写体画像と、その通常アップ写真画像に対応する背景画像とを重ねた写真画像が表示される。
【００８９】
編集画面４１０に向かって左側の利用者は、左側のタッチペン４１２（図４参照）を用い、編集領域４１０１Ａの写真画像Ｐ１に対して編集を行う。編集画面４１０に向かって右側の利用者は、右側のタッチペン４１２（図４参照）を用い、編集領域４１０１Ｂの写真画像Ｐ２に対して編集を行う。この例において、写真画像Ｐ１は、通常アップ写真画像Ｔ１と、通常アップ写真画像Ｔ１に対応する背景画像とを合成した写真画像であり、写真画像Ｐ２は、通常アップ写真画像Ｔ２と、通常アップ写真画像Ｔ２に対応する背景画像とを合成した写真画像である。
【００９０】
各利用者が、それぞれ、サムネイル画像表示領域４１０２Ａ，４１０２Ｂに表示されたサムネイル画像Ｓのいずれかをタッチペン４１２でタッチすると、ＣＰＵ１０３は、各タッチペン４１２でタッチされたサムネイル画像に対応する写真画像を編集領域４１０１Ａ，４１０１Ｂに表示させる。図１１の例では、サムネイル画像表示領域４１０２Ａにおいてサムネイル画像Ｓ１が選択され、サムネイル画像表示領域４１０２Ｂにおいてサムネイル画像Ｓ２が選択されている状態を示している。ＣＰＵ１０３は、サムネイル画像表示領域４１０２Ａ，４１０２Ｂにおいて、編集領域４１０１Ａ，４１０１Ｂに表示された写真画像のサムネイル画像Ｓ１，Ｓ２の表示領域に、「らくがき中」の文字を表示させる。
【００９１】
また、編集画面４１０には、編集領域４１０１に表示される写真画像を装飾するための編集ツールが表示される。編集ツールは、編集領域４１０１に表示される写真画像に組み合わせ可能な編集画像を含む。編集画像は、編集画像の用途、機能に応じて分類されており、図１１の例では、ツール選択タブ４１０３（４１０３Ａ，４１０３Ｂ）に示す「スペシャル」、「スタンプ＆メッセージ」、「オシャレ」、「ペン」のツールごとに分類されている。
【００９２】
各利用者は、それぞれ、所望するツールのツール選択タブ４１０３をタッチペン４１２で選択する。図１１の例では、左側の利用者によって「オシャレ」のツールが選択され、右側の利用者によって「スペシャル」のツールが選択されている状態を示している。
【００９３】
また、各ツールの編集画像は、その装飾イメージに応じたカテゴリに分類されている。装飾イメージは、編集画像の装飾が表す内容や意味、装飾の雰囲気やテイスト、装飾態様等のいずれかを示す。図１１の例において、「スペシャル」ツールでは、利用者の名前や日付等を個々に表した編集画像４１８を提供し、この編集画像４１８は、パレット選択タブ４１０４Ｂに示すように、「ネーム」、「日付」、「バースディ」、「記念日」、「シーズン」のカテゴリに分類されている。
【００９４】
「オシャレ」ツールは、写真画像に写る利用者の顔に化粧を施したり、リボンやメガネ等で装飾するなど、利用者の顔等を装飾するための編集画像４１８を提供する。「オシャレ」ツールの編集画像４１８は、パレット選択タブ４１０４Ａに示すように、「リップ」、「チーク」、「変装らくがき」、「リボン・メガネ」のカテゴリに分類されている。
【００９５】
各利用者は、それぞれ、所望するカテゴリのパレット選択タブ４１０４をタッチペン４１２で選択する。図１１の例では、左側の利用者によって「オシャレ」ツール内の「リップ」のカテゴリが選択され、右側の利用者によって「スペシャル」ツール内の「ネーム」のカテゴリが選択されている状態を示している。
【００９６】
図１１に示すように、「スペシャル」ツールが選択されている右側の編集ツール表示領域４１０５Ｂには、「ネーム」カテゴリに属する複数の編集画像４１８が表示されている。利用者は、所望する編集画像４１８をタッチペン４１２で選択し、写真画像上の利用者が所望する位置に、選択した編集画像４１８を配置することによって写真画像Ｐ２の編集を行う。
【００９７】
「オシャレ」ツールが選択されている左側の編集ツール表示領域４１０５Ａには、「リップ」カテゴリに属する複数の編集画像４１８（４１８ａ〜４１８ｈ）が表示される。編集画像４１８ａ〜４１８ｈは、上述した唇の属性情報ａ〜ｈに対応し、編集領域４１０１Ａに表示されている写真画像Ｐ１における被写体の唇に付すことができる色及び質感を表している。この例では、編集画像４１８ａ，４１８ｂ，４１８ｅ，４１８ｆは、属性情報ａ，ｂ，ｅ，ｆが示す色及び質感をそれぞれ表す画像であり、編集画像４１８ｃ，４１８ｄ，４１８ｇ，４１８ｈは、属性情報ｃ，ｄ，ｇ，ｈが示す色及び質感をそれぞれ表わす画像である。つまり、編集画像４１８ａと４１８ｃ、編集画像４１８ｂと４１８ｄ、編集画像４１８ｅと４１８ｇ、編集画像４１８ｆと４１８ｈの各組は同じ色（ＲＧＢ値）が付されている。また、編集画像４１８ａ，４１８ｂ，４１８ｅ，４１８ｆは艶の無い質感で表され、編集画像４１８ｃ，４１８ｄ，４１８ｇ，４１８ｈは艶のある質感で表されている。
【００９８】
また、編集画像４１８ａ〜４１８ｈの左側には、モデルを撮影した画像において、モデルの唇に属性情報ａ〜ｈのいずれかの色及び質感を与える画像処理がなされたイメージ画像４１９が表示される。
【００９９】
ＣＰＵ１０３は、「リップ」カテゴリが選択されると、リップ編集処理を行う。以下、リップ編集処理について説明する。
【０１００】
利用者は、編集領域４１０１Ａに表示された写真画像Ｐ１における被写体の唇を編集画像４１８ａ〜４１８ｈのいずれかに対応する唇の色及び質感に仕上げる場合、タッチペン４１２で所望する編集画像４１８をタッチする。この操作により、ＣＰＵ１０３は、メモリ１０５に記憶されているフィルタ画像ＬＰａ〜ＬＰｈのうち、選択された編集画像４１８に対応する唇の属性情報を基に生成されたフィルタ画像を読み出し、そのフィルタ画像を、写真画像Ｐ１の上に重ねて表示する。そして、ＣＰＵ１０３は、リップ編集情報として、利用者が選択した編集画像４１８を示す識別情報を写真画像Ｐ１と対応づけてメモリ１０５に記憶する。
【０１０１】
図１２Ａは、編集画像４１８ａが選択され、編集画像４１８ａに対応する属性情報ａを基に生成されたフィルタ画像ＬＰａを写真画像Ｐ１の上に合成した状態を例示した図である。以下、写真画像にフィルタ画像を合成した画像を編集写真画像と称する。フィルタ画像Ｌｐａは、図１２Ａに示すように、左側の人物の画像４００Ｌに重ねられた唇部分の画像ＬＰａ＿Ｌと、右側の人物の画像４００Ｒに重ねられた唇部分の画像ＬＰａ＿Ｒとを含む。
【０１０２】
フィルタ画像ＬＰａが合成される前の写真画像Ｐ１（図１１参照）は、図１２Ｂに示す背景画像４０１が描画された背景レイヤＬ１と、図１２Ｃに示す被写体画像４００が描画された人物レイヤＬ２とが合成されたものである。背景画像４０１は、写真画像Ｐ１の元画像である通常アップ写真画像Ｔ１に対して選択された背景画像（図７のステップＳ１１６）である。被写体画像４００は、通常アップ写真画像Ｔ１の背景を透過させた被写体のみの画像であり、図１２Ｃにおいて左側の人物の画像４００Ｌと右側の人物の画像４００Ｒとを含む。
【０１０３】
図１２Ｄは、背景レイヤＬ１と人物レイヤＬ２とを合成した写真画像Ｐ１の上に合成されるフィルタレイヤＬ３を例示した模式図である。フィルタレイヤＬ３において、実線部分がフィルタ画像ＬＰａを表している。フィルタレイヤＬ３における破線部分は、便宜上、人物レイヤＬ２の被写体画像４００と同様の通常アップ写真画像Ｔ１における被写体画像を表しているに過ぎず、フィルタレイヤＬ３には、通常アップ写真画像Ｔ１に対する唇マスク情報に基づいて、フィルタ画像ＬＰａのみが描画されている。フィルタ画像ＬＰａは、破線で示す被写体画像における唇の領域に位置し、属性情報ａで示される唇の色が付され、艶の無い質感を表す画像処理がなされている。
【０１０４】
上述したように、唇マスク情報で示される唇部分は、通常アップ画像の顔認識処理によって特定された被写体の唇の領域よりも大きい。そのため、フィルタレイヤＬ３において、唇マスク情報に基づいて描画されたフィルタ画像ＬＰａ（ＬＰａ＿Ｌ，ＬＰａ＿Ｒ）が示す唇の領域は、図１２Ｃに示す被写体画像４００における画像４００Ｌと画像４００Ｒの各唇の領域４０２Ｌ、４０２Ｒよりもはみ出している。この場合、利用者は、「リップ」カテゴリの編集ツール表示領域４１０５Ａに表示されたリップ消しゴム４１１１をタッチペン４１２でタッチし、図１２Ａに示す編集写真画像４０００において、はみ出している唇の部分をタッチペン４１２でなぞって消去することができる。ＣＰＵ１０３は、編集写真画像４０００がリップ消しゴム４１１１でなぞられると、フィルタレイヤＬ３においてなぞられた部分を透過して表示する。これにより、図１３Ａに示すように、編集写真画像４０００において、タッチペン４１２でなぞられたフィルタレイヤＬ３における破線部分４０３Ｌ，４０３Ｒは消え、その破線部分４０３Ｌ，４０３Ｒの下から写真画像Ｐ１が現れる。ＣＰＵ１０３は、リップ編集情報として、利用者が選択した編集画像４１８を示す識別情報とともに、タッチペン４１２でなぞられた領域４０３Ｌ及び４０３Ｒを表す図１３Ｂに示す唇編集マスク４０３Ｄを写真画像Ｐ１と対応づけてメモリ１０５に記憶する。
【０１０５】
利用者によって、編集画像４１８ａとは別の編集画像４１８ｂがタッチ操作されると、ＣＰＵ１０３は、その編集画像４１８ｂに対応する属性情報ｂを基に生成されたフィルタ画像ＬＰｂをメモリ１０５から読み出し、メモリ１０５に記憶した唇編集マスク４０３Ｄを参照してフィルタ画像ＬＰｂを編集する。フィルタ画像ＬＰｂは、フィルタ画像ＬＰａと同様、図１２Ａに示す左側の人物の画像４００Ｌに重ねられる唇部分の画像ＬＰｂ＿Ｌと、右側の人物の画像４００Ｒに重ねられる唇部分の画像ＬＰｂ＿Ｒとを含む。そして、編集したフィルタ画像ＬＰｂをフィルタレイヤＬ３に描画し、写真画像Ｐ１の上に重ねて表示する。より具体的には、フィルタレイヤＬ３に既に描画されている画像をすべて消去する。そして、メモリ１０５から読み出したフィルタ画像ＬＰｂにおいて、図１３Ｂに示す唇編集マスク４０３Ｄに対応する画素を透過させた画像をフィルタレイヤＬ３に描画する。これにより、図１３Ｃに示すように、フィルタ画像ＬＰｂ＿Ｌとフィルタ画像ＬＰｂ＿Ｒに唇編集マスク４０３Ｄの編集が施され、図１２Ａとは異なる色が被写体画像４００Ｌ，４００Ｒの唇に付された編集写真画像４００１が編集領域４１０１Ａに表示される。ＣＰＵ１０３は、写真画像Ｐ１のリップ編集情報における編集画像４１８ａの識別情報に替えて、編集画像４１８ｂの識別情報を記憶する。
【０１０６】
なお、図示を省略するが、図１３Ｃに示す編集写真画像４００１において、利用者が、さらに、リップ消しゴム４１１１を用いて唇部分をなぞる操作を行った場合、ＣＰＵ１０３は、唇編集マスク４０３Ｄに、新たになぞられた部分を加え、フィルタレイヤＬ３において、新たになぞられた部分を透過して表示する。ＣＰＵ１０３は、写真画像Ｐ１のリップ編集情報として、唇編集マスク４０３Ｄに新たになぞられた部分を加えて唇編集マスク４０３Ｄを更新してメモリ１０５に記憶する。
【０１０７】
また、利用者は、図１１に示す編集ツール表示領域４１０５Ａに表示された「リップＯＦＦ」ボタン４１１０をタッチペン４１２でタッチすることにより、編集写真画像４０００又は４００１に施された編集を一括消去し、元の写真画像Ｐ１に戻すことができる。ＣＰＵ１０３は、「リップＯＦＦ」ボタン４１１０のタッチ操作を受け付けると、写真画像Ｐ１に合成されているフィルタレイヤＬ３に描画されている画像と、メモリ１０５に記憶されている写真画像Ｐ１のリップ編集情報としての唇編集マスクと、選択された編集情報４１８を示す識別情報を消去する。そして、写真画像Ｐ１に対するリップ編集情報がないことを示すフラグを写真画像Ｐ１に対応づけて記憶する。
【０１０８】
なお、この例では、便宜上、写真画像に対する画像編集として、「リップ」カテゴリを用いた編集を主として説明したが、「リップ」カテゴリ以外のツールやカテゴリを用いた編集を行ってもよい。編集領域４１０１に表示された写真画像に対し、「オシャレ」ツール以外の他のツールの編集画像４１８や、「リップ」カテゴリ以外のカテゴリの編集画像４１８を配置する操作を利用者が行った場合、ＣＰＵ１０３は、編集領域４１０１の写真画像に編集画像４１８の編集を施す。そして、その写真画像の合成用編集画像として、選択された編集画像４１８のデータをメモリ１０５に記憶する。
【０１０９】
図１１において、各利用者は、編集領域４１０１に表示中の写真画像に対する落書きを終えると、サムネイル画像表示領域４１０２の別のサムネイル画像を選択し、編集領域４１０１の写真画像の表示を切り替える。各利用者は、全ての写真画像に対して落書きを終えると、「ＥＮＤ」ボタン４１０７Ａ，４１０７Ｂをタッチする。
【０１１０】
図９に戻り、ＣＰＵ１０３は、利用者による「ＥＮＤ」ボタン４１０７のタッチ操作により、ステップＳ３１５の落書き処理を終了する。
【０１１１】
続いて、ＣＰＵ１０３は、６枚の写真画像(通常アップ写真画像)ごとに、ステップＳ１１６で選択された背景画像と、落書き処理においてメモリ１０５に記憶されたリップ編集情報及び合成用編集画像とを用いて送信用画像を生成する（ステップＳ３１６）。送信用画像は、携帯電話機に表示するための画像であり、通常アップ写真画像に対し、携帯電話機の表示に適した画像送信用の所定の加工が施された画像である。以下、送信用画像生成処理の詳細について説明する。
【０１１２】
図１４は、送信用画像生成処理の動作フロー図である。ＣＰＵ１０３は、ステップＳ３１４で生成され、メモリ１０５に記憶された６枚の通常アップ写真画像Ｔ１〜Ｔ６のうち、通常アップ写真画像Ｔ１を読み出す（ステップＳ３１６１）。ＣＰＵ１０３は、読み出した通常アップ写真画像Ｔ１に対し、携帯電話機の画面サイズに応じたスケーリングを行ってトリミングし、送信用ベース画像ＴＳ１を生成する（ステップＳ３１６２）。なお、この送信用ベース画像ＴＳ１の生成において、通常アップ写真画像Ｔ１における被写体のフェイスラインを補正する処理等の画像処理を行ってもよい。
【０１１３】
次に、ＣＰＵ１０３は、ステップＳ３１５の落書き処理において、通常アップ写真画像Ｔ１が合成された写真画像Ｐ１に対するリップ編集情報の有無を判断する（ステップＳ３１６３）。ＣＰＵ１０３は、写真画像Ｐ１に対するリップ編集情報がメモリ１０５に記憶されている場合には（ステップＳ３１６３でＹｅｓの場合）、ステップＳ３１１２で生成された通常アップ画像ＵＰ１に対する唇マスク情報と、リップ編集情報における唇編集マスクとを用いて唇修正マスクを生成する（ステップＳ３１６４）。唇修正マスクは、唇マスク情報が示す唇の領域から唇編集マスクが示す唇の編集領域を減算することにより生成されるマスク情報である。
【０１１４】
続いて、ＣＰＵ１０３は、メモリ１０５に記憶された写真画像Ｐ１のリップ編集情報における編集画像４１８を示す識別情報を参照する。そして、識別情報に対応する属性情報が示す唇の色（ＲＧＢ値）の画像に、その属性情報が示す質感を表す画像処理用パラメータを用いたシャープ処理やぼかし処理等の所定の画像処理を行って唇画像ＭＰ１を生成し、送信用ベース画像ＴＳ１における唇修正マスクが示す領域に唇画像ＭＰ１を合成する（ステップＳ３１６５）。送信用ベース画像ＴＳ１と唇画像ＭＰ１の合成には、例えば、乗算合成又はスクリーン合成などの合成方法が用いられる。なお、この例では、シャープ処理やぼかし処理を行うことにより、唇画像ＭＰ１を属性情報に応じた質感に仕上げる例を説明したが、唇画像ＭＰ１の一部に、属性情報に応じた質感を表す画像を合成してもよい。
【０１１５】
次に、ＣＰＵ１０３は、唇画像ＭＰ１が合成された送信用ベース画像ＴＳ１に対し、識別情報に対応する属性情報に基づき、画像送信用の画像処理を行う（ステップＳ３１６６）。
【０１１６】
具体的には、ＣＰＵ１０３は、唇画像ＭＰ１が携帯電話機の画面に表示されたときの色味が、編集画面４１０に表示されたフィルタ画像の色味と略同一となるように、唇画像ＭＰ１のトーンカーブを調整する等して唇画像ＭＰ１の明度及び彩度を補正する。これにより、唇画像ＭＰ１が合成された送信用ベース画像ＴＳ１は、携帯電話機の画面に適した色味の画像となる。
【０１１７】
ＣＰＵ１０３は、画像処理後の唇画像ＭＰ１が合成された送信用ベース画像ＴＳ１に、通常アップ写真画像Ｔ１に対応する背景画像を合成し、送信用画像ＰＳ１を生成する（ステップＳ３１６７）。落書き処理において、写真画像Ｐ１に対して「リップ」以外のカテゴリや「オシャレ」ツール以外のツールの編集画像４１８が選択されて配置された場合には、ＣＰＵ１０３は、さらに、メモリ１０５に記憶されている写真画像Ｐ１の合成用編集画像を合成して送信用画像を生成する。
【０１１８】
なお、ステップＳ３１６３において、ＣＰＵ１０３は、写真画像Ｐ１に対するリップ編集情報がメモリ１０５に記憶されていない場合には（ステップＳ３１６３でＮｏの場合）、送信用ベース画像ＴＳ１に、メモリ１０５に記憶された通常アップ写真画像Ｔ１に対応する背景画像を合成して送信用画像ＰＳ１を生成する（ステップＳ３１６８）。また、落書き処理において、写真画像Ｐ１に対して「リップ」以外のカテゴリや「オシャレ」ツール以外のツールの編集画像４１８が選択されて配置された場合には、ＣＰＵ１０３は、さらに、メモリ１０５に記憶されている写真画像Ｐ１の合成用編集画像を合成して送信用画像を生成する。
【０１１９】
ＣＰＵ１０３は、全ての通常アップ写真画像Ｔ１〜Ｔ６について送信用画像を生成するまで（ステップＳ３１６９でＮｏの場合）、残りの通常アップ写真画像Ｔ２〜Ｔ６について、ステップＳ３１６１〜Ｓ３１６９の処理を繰り返し行う。ＣＰＵ１０３は、全ての通常アップ写真画像Ｔ１〜Ｔ６について送信用画像ＰＳ１〜ＰＳ６を生成すると（ステップＳ３１６９でＹｅｓの場合）、送信用画像生成処理を終了する。
【０１２０】
図９に戻り、ＣＰＵ１０３は、ステップＳ３１６の送信用画像生成処理の後、ステップＳ１１６で選択された背景画像と、落書き処理においてメモリ１０５に記憶されたリップ編集情報及び合成用編集画像とを用いて印刷用画像を生成する印刷用画像生成処理を行う（ステップＳ３１７）。印刷用画像は、シール紙に印刷される画像であり、通常アップ写真画像に対し、シール紙への印刷に適した印刷用の所定の加工が施された画像である。以下、印刷用画像生成処理の詳細について説明する。
【０１２１】
図１５は、印刷用画像生成処理の動作フロー図である。ＣＰＵ１０３は、ステップＳ３１４で生成され、メモリ１０５に記憶された６枚の通常アップ写真画像Ｔ１〜Ｔ６のうち、通常アップ写真画像Ｔ１を読み出す（ステップＳ３１７１）。ＣＰＵ１０３は、読み出した通常アップ写真画像Ｔ１に対し、シール紙における通常アップ写真画像用の印刷領域に応じたスケーリングを行ってトリミングし、印刷用ベース画像ＴＰ１を生成する（ステップＳ３１７２）。なお、この印刷用ベース画像ＴＰ１の生成において、通常アップ写真画像Ｔ１における被写体のフェイスラインを補正する処理等の画像処理を行ってもよい。
【０１２２】
次に、ＣＰＵ１０３は、ステップＳ３１５の落書き処理において、通常アップ写真画像Ｔ１が合成された写真画像Ｐ１に対するリップ編集情報の有無を判断する（ステップＳ３１７３）。ＣＰＵ１０３は、写真画像Ｐ１に対するリップ編集情報がメモリ１０５に記憶されている場合には（ステップＳ３１７３でＹｅｓの場合）、ステップＳ３１１２で生成された通常アップ画像ＵＰ１に対する唇マスク情報と、リップ編集情報における唇編集マスクとを用いて唇修正マスクを生成する（ステップＳ３１７４）。
【０１２３】
続いて、ＣＰＵ１０３は、メモリ１０５に記憶された写真画像Ｐ１のリップ編集情報における編集画像４１８を示す識別情報を参照する。そして、編集画像４１８の識別情報に対応する属性情報で示される唇の色（ＲＧＢ値）の画像に、その属性情報が示す質感を表す画像処理用パラメータを用いたシャープ処理やぼかし処理等の所定の画像処理を行って唇画像ＭＰ１を生成し、印刷用ベース画像ＴＰ１における唇編集マスクが示す領域に唇画像ＭＰ１を合成する（ステップＳ３１７５）。印刷用ベース画像ＴＰ１と唇画像ＭＰ１の合成には、例えば、乗算合成又はスクリーン合成などの合成方法が用いられる。なお、送信用画像と同様、唇画像ＭＰ１の一部に、属性情報に応じた質感を表す画像を合成して、属性情報に応じた質感となるように唇画像ＭＰ１を仕上げてもよい。
【０１２４】
次に、ＣＰＵ１０３は、唇画像ＭＰ１が合成された印刷用ベース画像ＴＰ１に対し、識別情報に対応する属性情報に基づき、印刷用の画像処理を行う（ステップＳ３１６６）。
【０１２５】
具体的には、ＣＰＵ１０３は、唇画像ＭＰ１がシール紙に印刷されたときの色味が、編集画面４１０に表示されたフィルタ画像の色味と略同一となるように、唇画像ＭＰ１のトーンカーブを調整する等して唇画像ＭＰ１の明度及び彩度を補正する。これにより、唇画像ＭＰ１が合成された印刷用ベース画像ＴＰ１は、シール紙に適した色味の画像となる。
【０１２６】
ＣＰＵ１０３は、画像処理後の唇画像ＭＰ１が合成された印刷用ベース画像ＴＰ１に、通常アップ写真画像Ｔ１に対応する背景画像を合成し、印刷用画像ＰＰ１を生成する（ステップＳ３１７７）。落書き処理において、写真画像Ｐ１に対して「リップ」以外のカテゴリや「オシャレ」ツール以外のツールの編集画像４１８が選択されて配置された場合には、ＣＰＵ１０３は、さらに、メモリ１０５に記憶されている写真画像Ｐ１の合成用編集画像を合成して印刷用画像を生成する。
【０１２７】
なお、ステップＳ３１７３において、ＣＰＵ１０３は、写真画像Ｐ１に対するリップ編集情報がメモリ１０５に記憶されていない場合には（ステップＳ３１７３でＮｏの場合）、印刷用ベース画像ＴＰ１に、通常アップ写真画像Ｔ１に対応する背景画像を合成して印刷用画像ＰＰ１を生成する（ステップＳ３１７８）。また、落書き処理において、写真画像Ｐ１に対して「リップ」以外のカテゴリや「オシャレ」ツール以外のツールの編集画像４１８が選択されて配置された場合には、ＣＰＵ１０３は、さらに、メモリ１０５に記憶されている写真画像Ｐ１の合成用編集画像を合成して印刷用画像を生成する。
【０１２８】
ＣＰＵ１０３は、全ての通常アップ写真画像Ｔ１〜Ｔ６について印刷用画像を生成するまで（ステップＳ３１７９でＮｏの場合）、残りの通常アップ写真画像Ｔ２〜Ｔ６について、ステップＳ３１７１〜Ｓ３１７９の処理を繰り返し行う。ＣＰＵ１０３は、全ての通常アップ写真画像Ｔ１〜Ｔ６について印刷用画像ＰＰ１〜ＰＰ６を生成すると（ステップＳ３１７９でＹｅｓの場合）、印刷用画像生成処理を終了する。
【０１２９】
図９に戻り、ＣＰＵ１０３は、印刷用画像生成処理の後、シートレイアウト選択画面（図示略）を編集用ディスプレイ４１１に表示させ、利用者によるシートレイアウトの選択を受け付ける（ステップＳ３１８）。
【０１３０】
続いて、ＣＰＵ１０３は、利用者が選択したシートレイアウトに基づき、シール紙に印刷するためのシート画像を生成する（ステップＳ３１９）。具体的には、ＣＰＵ１０３は、選択されたシートレイアウトにおいて、通常アップ写真画像用の領域にステップＳ３１７で生成した印刷用画像ＰＰ１〜ＰＰ６を配置することにより、例えば、図１６に例示するシート画像５１１を生成する。図１６に示すように、シート画像５１１には、通常アップ写真画像用の各領域において印刷用画像ＰＰ１〜ＰＰ６が配置される。
【０１３１】
図９に戻り、ＣＰＵ１０３は、事後接客部５が空いているか否かを判断する（ステップＳ３２０）。事後接客部５が空いていない場合（ステップＳ３２０でＮｏの場合）、ＣＰＵ１０３は、利用者に対して待機を促す待機画面（図示略）を編集用ディスプレイ４１１に表示させる（ステップＳ３２１）。事後接客部５が空いている場合（ステップＳ３２０でＹｅｓの場合）、ＣＰＵ１０３は、ステップＳ３１９で生成したシート画像５１１をプリンタ６５０に送信し、印刷を開始する（ステップＳ３２２）。また、ＣＰＵ１０３は、利用者を事後接客部５へ誘導する誘導画面（図示略）を編集用ディスプレイ４１１に表示させる（ステップＳ３２３）。ＣＰＵ１０３は、誘導画面の表示とともに、利用者を事後接客部５へ誘導する音声をスピーカ４１３から出力させてもよい。
【０１３２】
＜２．４．事後接客処理＞
次に、事後接客処理（ステップＳ４０）について説明する。図１７は、事後接客処理のフロー図である。
【０１３３】
ＣＰＵ１０３は、開始画面を受付用ディスプレイ５１に表示させる。編集ブース４から移動してきた利用者が開始画面を指でタッチすると、画像送信処理が開始される（ステップＳ４１１）。また、ＣＰＵ１０３は、操作に必要な音声をスピーカ５３に出力する。
【０１３４】
画像送信処理が開始されると、ＣＰＵ１０３は、利用者の携帯電話機に送信するための画像を選択する画像選択画面を受付用ディスプレイ５１に表示させる。図１８は、画像選択画面を例示した模式図である。
【０１３５】
画像選択画面５１０には、２人の利用者が画像の選択をそれぞれ行えるように、利用者ごとの選択画面５１００Ａ，５１００Ｂが表示される。選択画面５１００Ａ，５１００Ｂには、ステップＳ３１６で生成された６枚の送信用画像ＰＳ１〜ＰＳ６と、スペシャル写真画像Ｔ７とが表示される。選択画面５１００Ａ，５１００Ｂに表示される画像のうち、各利用者が所望の画像をタッチすることにより、各利用者の携帯電話機に送信する送信対象画像が１枚ずつ選択される。
【０１３６】
各利用者は、送信対象画像の選択を終えると、選択画面５１００Ａ，５１００Ｂにおける「ＯＫ」ボタン５１０１Ａ，５１０１Ｂをタッチする。この操作により、ＣＰＵ１０３は、利用者ごとに、選択された送信対象画像の情報をメモリ１０５に記憶する。
【０１３７】
次に、ＣＰＵ１０３は、各利用者が選択した送信対象画像を取得するためのＵＲＬを記載した通知メールを利用者に送信するため、利用者にメールアドレスの入力を促す入力画面（図示略）を受付用ディスプレイ５１（図４参照）に表示する。各利用者は、入力画面の案内に従って各々のメールアドレスを入力する。
【０１３８】
ＣＰＵ１０３は、入力画面において各利用者のメールアドレスが入力されると、利用者ごとのメールアドレスと、利用者ごとに選択された送信対象画像の情報と、送信用画像ＰＳ１〜ＰＳ６及びスペシャル写真画像Ｔ７の画像データをサーバ（図示略）に送信する。サーバは、写真撮影遊戯機１から送信された各利用者のメールアドレスを宛先として、写真撮影遊戯機１から送信された画像データのうち、各利用者の送信対象画像の画像データを取得するためのＵＲＬが記載された通知メールを送信する。
【０１３９】
各利用者は、各々の携帯電話機でサーバからの通知メールを受信し、通知メールに記載されたＵＲＬにアクセスすることにより、選択した送信対象画像を取得することができる。なお、各利用者は、所定の会員登録をすることにより、サーバを介して、画像選択画面５１０で選択しなかった全ての画像を取得することができる。
【０１４０】
図９のステップＳ３２２におけるシート画像印刷処理が終了するまでの待ち時間に、上記ステップＳ４１１の処理が実行される。ステップＳ３２２においてシート画像５１１の印刷が終了すると、ＣＰＵ１０３は、シート画像５１１が印刷されたシール紙（写真シール）を写真シール排出口５２から排出する（ステップＳ４１２）。ここまでが、一組の利用者に対する一連のプレイである。
【０１４１】
上述した実施形態では、送信用画像と印刷用画像は、通常アップ写真画像をもとにして、携帯電話機の画面とシール紙の印刷領域の各々に応じたサイズでトリミングした送信用ベース画像と印刷用ベース画像に対し、「リップ」カテゴリにおいて選択された編集画像４１８の色及び質感を表す属性情報、唇マスク情報、及び唇編集マスクに基づいて、画像送信用の画像処理と印刷用の画像処理が各々施されて生成される。そのため、利用者が選択した色を写真画像における被写体の唇に付した編集済みの写真画像をもとにして、携帯電話機の画面とシール紙の印刷領域に応じたサイズの各トリミングを行い、送信用画像と印刷用画像とを生成する場合と比べ、送信用画像及び印刷用画像における唇の色味が、編集済みの写真画像の唇と異なる色味に変化したり、画像が粗くなる等の画質の劣化が生じにくい。その結果、携帯電話機とシール紙の各々に適した仕上がりの画像を利用者に提供することができる。
【０１４２】
また、上述した実施形態では、落書き（編集）の開始前に、全ての通常アップ写真画像に対して唇マスク情報と、属性情報ａ〜ｈに基づくフィルタ画像ＬＰａ〜ＬＰｈとを生成する落書き前処理を行う。そのため、落書きの開始後、利用者の操作に応じて、選択された編集画像４１８の色及び質感を表すフィルタ画像を生成し、編集領域４１０１の写真画像上にフィルタ画像を重ねて表示させる場合と比べ、落書き処理における処理負荷を軽減することができる。
【０１４３】
また、上述した実施形態では、利用者が選択した編集画像４１８の色及び質感を表すフィルタ画像を写真画像に合成した編集写真画像を表示する。そして、その編集写真画像における被写体の唇部分に対してなされた編集の内容を唇編集マスクとして記憶し、唇編集マスクの編集内容を反映させた送信用画像と印刷用画像を生成する。そのため、利用者は、表示された編集写真画像における唇部分に対して所望する編集を行うことができ、その編集内容が反映された送信用画像と印刷用画像を得ることができる。
【０１４４】
また、上述した実施形態では、利用者によって編集写真画像における唇部分の編集がなされた後、別の属性情報で示される色及び質感を表す編集画像４１８が利用者によって選択された場合、その別の属性情報に基づくフィルタ画像にその編集内容を反映させて写真画像に合成した編集写真画像を表示する。一の通常アップ写真画像に対する８つのフィルタ画像は、同一の唇マスク情報に基づいて生成されているため、８つのフィルタ画像が示す写真画像における唇の領域は同一である。そのため、別の属性情報で示される色及び質感を表す編集画像４１８が選択された際、その属性情報に基づくフィルタ画像に対して既に行われた編集の内容を反映させることで、利用者は、編集写真画像の唇部分に対して前回と同じ編集操作を行う必要がなく、落書き時間を短縮することができる。
【０１４５】
また、上述した実施形態では、「リップＯＦＦ」ボタン４１１０のタッチ操作により、編集領域４１０１に表示された写真画像に対してなされたリップ編集処理を一括して消去する。そのため、利用者は、「リップＯＦＦ」ボタン４１１０をタッチ操作するだけで、リップ編集処理を行う前の写真画像の状態に戻すことができる。
【０１４６】
以上、本発明の実施形態について説明したが、本発明は上記実施形態に限定されるものではなく、その趣旨を逸脱しない限りにおいて、種々の変更が可能である。以下、上記実施形態の変形例について説明する。
【０１４７】
（１）上述した実施形態では、アップ撮影コースが選択された場合の例について説明したが、アップ全身撮影コースが選択された場合も、ＣＰＵ１０３は、アップ撮影コースと同様、通常アップ写真画像と、通常全身画像を所定サイズにトリミングした通常全身写真画像に対して落書き前処理を行い、落書き処理においてリップ編集処理を行う。
【０１４８】
（２）上述した実施形態において、フィルタ画像は、通常アップ写真画像における被写体画像と背景画像とを合成し、唇マスク情報が示す唇の領域に、選択された編集画像４１８が表す色及び質感の属性情報に基づく画像処理を施した画像であってもよい。唇部分のみのフィルタ画像をフィルタレイヤＬ３に描画し、編集領域４１０１に表示する写真画像の上に重ねて表示する際、フィルタレイヤＬ３においてフィルタ画像が示す唇部分以外の領域を透過させて表示させるために唇マスク情報が必要である。本変形例におけるフィルタ画像は、被写体画像と背景画像とが合成されているため、編集領域４１０１に表示される写真画像の上にフィルタレイヤＬ３を重ねて表示する際、唇以外の領域を透過させる必要がなく、唇マスク情報を必要としないため、実施形態のフィルタ画像と比べて、編集写真画像の表示に必要なデータ量を小さくすることができる。
【０１４９】
（３）上述した実施形態では、画像編集処理において、落書き処理の後、シートレイアウトを選択する前に送信用画像生成処理と印刷用画像生成処理を行う例を説明した。送信用画像生成処理のタイミングは、落書き処理の後であって事後接客処理における画像送信処理の前であればよく、印刷用画像生成処理のタイミングは、落書き処理の後であってシート画像生成の前であればよい。
【０１５０】
（４）上述した実施形態では、編集画面４１０において、「リップ」カテゴリの編集ツール表示領域４１０５に、編集画像４１８ａ〜４１８ｈのいずれかの色及び質感を表す属性情報に基づく画像処理をモデルの唇部分に施したイメージ画像４１９が表示される例を説明したが、以下のように構成してもよい。編集領域４１０１に表示される写真画像から抽出した被写体画像の唇部分に、編集画像４１８ａ〜４１８ｈのうちの任意の編集画像４１８の色及び質感を表す属性情報に基づく画像処理を施したイメージ画像を表示してもよい。
【０１５１】
（５）上述した実施形態では、送信用画像生成処理及び印刷用画像生成処理において、被写体の唇部分に対して画像送信用と印刷用の各画像処理を施す例について説明したが、被写体の唇以外の部分に対しても、携帯電話機の画面に表示したときの色味とシール紙に印刷したときの色味が、編集画面４１０に表示された写真画像の色味と略同一となるように、画像送信用と印刷用の各画像処理を施してもよい。
【０１５２】
（６）上述した実施形態において、「リップ」カテゴリが選択された場合に、図１１に示す編集画面４１０の編集領域４１０１に表示する写真画像Ｐ１を、他の編集ツールで編集する場合より、大きく表示するようにしてもよい。具体的には、「リップ」カテゴリが選択された場合、表示されている写真画像Ｐ１に対応する唇マスク情報を参照し、例えば左側の人物の唇のほぼ中心位置を基準に写真画像Ｐ１を拡大して編集領域４１０１に表示する。この場合、唇マスク情報が示す唇の領域も同様に拡大し、拡大した唇マスク情報に含まれる全ての人物の唇の位置が編集領域４１０１からはみ出さないよう設定するのが好ましい。また、編集ツール表示領域４１５内に、「標準」「少し大きめ」「大きめ」等、写真画像の大きさを変更するボタンを設け、表示する写真画像Ｐ１の大きさを変更できるようにしてもよい。なお、写真画像を拡大する方法については特に限定するものではなく、リップ消しゴム４１１１を用いて、写真画像における唇部分の細部の編集が行いやすくなる効果があればよい。
【０１５３】
（７）上述した実施形態では、編集領域４１０１に表示される写真画像に写る全ての被写体の唇に対し、編集画像４１８ａ〜４１８ｈのいずれかを選択する例を説明したが、被写体ごとに編集画像４１８を選択できるように構成してもよい。この場合、写真画像ごとに、被写体別の唇マスク情報と、８種類の属性情報に基づくフィルタ画像とを生成する。「リップ」カテゴリが選択された場合、被写体ごとに選択された編集画像４１８に応じた属性情報に基づくフィルタ画像を、その被写体の唇マスク情報に基づいて写真画像の上に重ねて表示し、被写体ごとに選択された編集画像４１８を示す識別情報を被写体別のリップ編集情報として記憶する。また、写真画像の上に重ねられたフィルタ画像がリップ消しゴム４１１１を用いて編集された場合、編集された編集領域が含まれる被写体の唇マスク情報とその編集領域を示す唇編集マスクとを対応づけて記憶する。送信用画像と印刷用画像を生成する際には、写真画像ごとの被写体別の唇マスク情報及び唇編集マスクに基づいて唇修正マスクを生成し、被写体別のリップ編集情報に基づいて唇画像を生成する。そして、送信用ベース画像及び印刷用ベース画像において、被写体別の唇修正マスクに基づく位置に、被写体別の唇画像を合成する。
【符号の説明】
【０１５４】
１      写真撮影遊戯機
２１    カメラ
１０３  ＣＰＵ
１０４  ＨＤＤ
１０５  メモリ
【図１】
0005900826.tif 000002
【図２】
0005900826.tif 000003
【図３】
0005900826.tif 000004
【図４】
0005900826.tif 000005
【図５】
0005900826.tif 000006
【図６】
0005900826.tif 000007
【図７】
0005900826.tif 000008
【図８】
0005900826.tif 000009
【図９】
0005900826.tif 000010
【図１０】
0005900826.tif 000011
【図１１】
0005900826.tif 000012
【図１２Ａ】
0005900826.tif 000013
【図１２Ｂ】
0005900826.tif 000014
【図１２Ｃ】
0005900826.tif 000015
【図１２Ｄ】
0005900826.tif 000016
【図１３Ａ】
0005900826.tif 000017
【図１３Ｂ】
0005900826.tif 000018
【図１３Ｃ】
0005900826.tif 000019
【図１４】
0005900826.tif 000020
【図１５】
0005900826.tif 000021
【図１６】
0005900826.tif 000022
【図１７】
0005900826.tif 000023
【図１８】
0005900826.tif 000024